(57)【特許請求の範囲】
【請求項１】
複数のチャンネルのチャンネル毎に所定期間内で同一の楽曲が繰り返し送信され、複数の上記チャンネルの複数の上記楽曲からなる音声ディジタルデータと、上記音声ディジタルデータに含まれる複数の上記楽曲の内で少なくとも一部の楽曲に関するデータが圧縮符号化によって圧縮され、圧縮符号化されたデータが単位にまとめられ、上記音声ディジタルデータの伝送用のチャンネルと異なるチャンネルを通じて上記所定期間内で上記単位が繰り返し送信されるダウンロード用の音声データと、送信される上記楽曲のリスト及び上記楽曲に関連する情報を表示するための情報画面を形成するためのディジタルデータとが多重化された信号を受信する受信装置において、
上記ディジタルデータをデコードして、上記複数チャンネルを通じて受信可能な複数の楽曲のリストの画面を表示し、該リストの中で蓄積したい楽曲が選択されると該楽曲に関連する情報を表示する画面を映出する情報画面表示手段と、
映出される上記複数の楽曲のリストの中の所望の楽曲を順次指定することによって、蓄積したい複数の楽曲を選択する入力手段と、
受信され、且つ選択された上記複数の楽曲に関する上記ダウンロード用の音声データに対して挿入されている上記楽曲の先頭位置及び終了位置をそれぞれ示す先頭識別データ及び終了識別データを検出する識別データ検出手段と、
上記ダウンロード用の音声データの中から、選択された上記蓄積したい複数の楽曲の中で最初に選択した楽曲に対応するダウンロード用のオーディオデータに対する上記先頭識別データが上記識別データ検出手段によって検出されると記録開始指令を発生し、上記最初に選択した楽曲に対する上記終了識別データが上記識別データ検出手段によって検出されると記録終了指令を発生し、
上記蓄積したい複数の楽曲の中で次に選択した楽曲に対応するダウンロード用のオーディオデータに対する上記次に選択した楽曲の先頭識別データ及び終了識別データを上記識別データ検出手段によって検出し、上記次に選択した楽曲の先頭識別データが検出されたら記録開始指令を発生し、上記次に選択した楽曲の終了識別データが検出されたら、記録終了指令を発生する処理を繰り返すように制御する制御手段とを備え、
上記制御手段からの上記記録開始指令及び上記記録終了信号を蓄積手段に対して出力することを特徴とする受信装置。
【請求項２】
複数のチャンネルのチャンネル毎に所定期間内で同一の楽曲が繰り返し送信され、複数の上記チャンネルの複数の上記楽曲からなる音声ディジタルデータと、上記音声ディジタルデータに含まれる複数の上記楽曲の内で少なくとも一部の楽曲に関するデータが圧縮符号化によって圧縮され、圧縮符号化されたデータが単位にまとめられ、上記音声ディジタルデータの伝送用のチャンネルと異なるチャンネルを通じて上記所定期間内で上記単位が繰り返し送信されるダウンロード用の音声データと、送信される上記楽曲のリスト及び上記楽曲に関連する情報を表示するための情報画面を形成するためのディジタルデータとが多重化された信号を受信する受信装置と、
上記受信装置の出力を蓄積する蓄積装置とからなり、
上記受信装置は、
上記ディジタルデータをデコードして、受信可能な複数の楽曲のリストの画面を表示し、該リストの中で蓄積したい楽曲が選択されると該楽曲に関連する情報を表示する画面を映出する情報画面表示手段と、
映出される上記複数の楽曲のリストの中の所望の楽曲を順次指定することによって、蓄積したい複数の楽曲を選択する入力手段と、
受信され、且つ選択された上記複数の楽曲に関する上記ダウンロード用の音声データに対して挿入されている上記楽曲の先頭位置及び終了位置をそれぞれ示す先頭識別データ及び終了識別データを検出する識別データ検出手段と、
上記ダウンロード用の音声データの中から、選択された上記蓄積したい複数の楽曲の中で最初に選択した楽曲に対応するダウンロード用のオーディオデータに対する上記先頭識別データが上記識別データ検出手段によって検出されると記録開始指令を発生し、上記最初に選択した楽曲に対する上記終了識別データが上記識別データ検出手段によって検出されると記録終了指令を発生し、
上記蓄積したい複数の楽曲の中で次に選択した楽曲に対応するダウンロード用のオーディオデータに対する上記次に選択した楽曲の先頭識別データ及び終了識別データを上記識別データ検出手段によって検出し、上記次に選択した楽曲の先頭識別データが検出されたら記録開始指令を発生し、上記次に選択した楽曲の終了識別データが検出されたら、記録終了指令を発生する処理を繰り返すように制御する制御手段とを備え、
上記蓄積装置は、上記受信装置から上記記録開始指令が与えられると上記受信装置からの上記選択された複数の楽曲の各楽曲の記録を開始し、上記受信装置から上記記録終了指令が与えられると上記選択された複数の楽曲の各楽曲の記録を終了するような処理を行う記録制御手段を有することを特徴とする情報蓄積システム。
【発明の詳細な説明】
【０００１】
【発明の属する技術分野】
この発明は、ディジタル衛星放送により音楽放送を行う場合に用いて好適な受信装置及び情報蓄積システムに関する。
【０００２】
【従来の技術】
ディジタル衛星放送の普及が進んでいる。ディジタル衛星放送は、既存のアナログ放送に比べて、ノイズやフェージングに強く、高品質の信号を伝送することが可能であると共に、周波数利用効率が向上され、多チャンネル化が図れる。例えば、ディジタル衛星放送では、１つの衛星で数１００チャンネルを確保することが可能である。このようなディジタル衛星放送では、スポーツ、映画、音楽、ニュース等専用のチャンネルが用意されており、これらの専門チャンネルでは、それぞれの専門のコンテンツのプログラムが終日放送されている。
【０００３】
これらの専門のチャンネルの中で、音楽チャンネルは、人気のあるチャンネルの１つである。従来の音楽チャンネルでは、主に、プロモーション用のビデオを放映して、新曲紹介やヒット曲の番組が放送されている。
【０００４】
上述のように、従来、音楽チャンネルでは、新曲紹介やヒット曲の番組が動画と音声で送られている。視聴者は、このような音楽チャンネルを見ていて気に入った楽曲があると、紹介されている楽曲のＣＤ（Compact Disc）等を購入して、楽しみたいと考えることが良くある。また、その楽曲のアーチストの情報や、その楽曲の収められたアルバムの情報を知りたくなることが良くある。音楽番組を見ていて、その楽曲のアーチストの情報やその楽曲の収められているアルバムの情報を知りたくなったら、その場でその情報が得られ、また、気に入った楽曲があったら、その楽曲の音楽データをダウンロードできれば非常に便利である。
【０００５】
そこで、本願出願人は、複数のオーディオチャンネルを使って楽曲を送信すると共に、送信される楽曲のリストページや各楽曲の情報ページの画面を形成するためのデータや、ダウンロード用のオーディオデータを送信し、リストページや情報ページを画面上に表示して楽曲を選択すると、所望の楽曲が送信されるオーディオチャンネルに切り換えられ、更に、所望の楽曲をダウンロードできるようにしたシステムを提案している。このようなシステムでは、リストページや情報ページを見て、気に入った楽曲があれば、その楽曲のオーディオチャンネルを選択し、このオーディオチャンネルの信号をＭＤレコーダ／プレーヤ等のストレージデバイスに記録することができる。
【０００６】
【発明が解決しようとする課題】
ところが、ディジタル衛星放送では、放送局から受信局に一方向に信号が送られている。このため、送られてきた楽曲をストレージデバイスで記録する場合、注意深くタイミングを設定しないと、頭切れになったり、曲の途中で記録が終了したりしてしまう。
【０００７】
つまり、放送されてくる楽曲をＭＤレコーダ／プレーヤ等で記録する場合には、従来では、ユーザは、ＭＤレコーダ／プレーヤ等を記録一時停止状態に設定してその楽曲の放送が開始されるのを待ち、その楽曲の放送が開始されたら、一時停止状態を解除して記録を開始し、その楽曲の放送が終了したら、停止状態に設定して記録を終了するようなことを行っている。しかしながら、このようにユーザが記録開始、記録終了を設定する操作は、ユーザにとって煩わしいと共に、ユーザは注意を払ってタイミングを設定しないと、楽曲の先頭が途切れてしまったり、曲の途中で記録を終了してしまったりする。
【０００８】
更に、このようなシステムにおいて、ユーザが記録開始及び記録終了を指示しなくても、ユーザが指定した順番で、好みの楽曲が自動的に選択されて蓄積できれば、非常に操作性が向上される。
【０００９】
【課題を解決するための手段】
請求項１に係わる発明は、複数のチャンネルのチャンネル毎に所定期間内で同一の楽曲が繰り返し送信され、複数のチャンネルの複数の楽曲からなる音声ディジタルデータと、音声ディジタルデータに含まれる複数の楽曲の内で少なくとも一部の楽曲に関するデータが圧縮符号化によって圧縮され、圧縮符号化されたデータが単位にまとめられ、音声ディジタルデータの伝送用のチャンネルと異なるチャンネルを通じて所定期間内で単位が繰り返し送信されるダウンロード用の音声データと、送信される楽曲のリスト及び楽曲に関連する情報を表示するための情報画面を形成するためのディジタルデータとが多重化された信号を受信する受信装置において、
ディジタルデータをデコードして、複数チャンネルを通じて受信可能な複数の楽曲のリストの画面を表示し、該リストの中で蓄積したい楽曲が選択されると該楽曲に関連する情報を表示する画面を映出する情報画面表示手段と、
映出される複数の楽曲のリストの中の所望の楽曲を順次指定することによって、蓄積したい複数の楽曲を選択する入力手段と、
受信され、且つ選択された複数の楽曲に関するダウンロード用の音声データに対して挿入されている楽曲の先頭位置及び終了位置をそれぞれ示す先頭識別データ及び終了識別データを検出する識別データ検出手段と、
ダウンロード用の音声データの中から、選択された蓄積したい複数の楽曲の中で最初に選択した楽曲に対応するダウンロード用のオーディオデータに対する先頭識別データが識別データ検出手段によって検出されると記録開始指令を発生し、最初に選択した楽曲に対する終了識別データが識別データ検出手段によって検出されると記録終了指令を発生し、
蓄積したい複数の楽曲の中で次に選択した楽曲に対応するダウンロード用のオーディオデータに対する次に選択した楽曲の先頭識別データ及び終了識別データを識別データ検出手段によって検出し、次に選択した楽曲の先頭識別データが検出されたら記録開始指令を発生し、次に選択した楽曲の終了識別データが検出されたら、記録終了指令を発生する処理を繰り返すように制御する制御手段とを備え、
制御手段からの記録開始指令及び記録終了信号を蓄積手段に対して出力することを特徴とする受信装置である。
【００１０】
請求項２に係わる発明は、複数のチャンネルのチャンネル毎に所定期間内で同一の楽曲が繰り返し送信され、複数のチャンネルの複数の楽曲からなる音声ディジタルデータと、音声ディジタルデータに含まれる複数の楽曲の内で少なくとも一部の楽曲に関するデータが圧縮符号化によって圧縮され、圧縮符号化されたデータが単位にまとめられ、音声ディジタルデータの伝送用のチャンネルと異なるチャンネルを通じて所定期間内で単位が繰り返し送信されるダウンロード用の音声データと、送信される楽曲のリスト及び楽曲に関連する情報を表示するための情報画面を形成するためのディジタルデータとが多重化された信号を受信する受信装置と、
受信装置の出力を蓄積する蓄積装置とからなり、
受信装置は、
ディジタルデータをデコードして、受信可能な複数の楽曲のリストの画面を表示し、該リストの中で蓄積したい楽曲が選択されると該楽曲に関連する情報を表示する画面を映出する情報画面表示手段と、
映出される複数の楽曲のリストの中の所望の楽曲を順次指定することによって、蓄積したい複数の楽曲を選択する入力手段と、
受信され、且つ選択された複数の楽曲に関するダウンロード用の音声データに対して挿入されている楽曲の先頭位置及び終了位置をそれぞれ示す先頭識別データ及び終了識別データを検出する識別データ検出手段と、
ダウンロード用の音声データの中から、選択された蓄積したい複数の楽曲の中で最初に選択した楽曲に対応するダウンロード用のオーディオデータに対する先頭識別データが識別データ検出手段によって検出されると記録開始指令を発生し、最初に選択した楽曲に対する終了識別データが識別データ検出手段によって検出されると記録終了指令を発生し、
蓄積したい複数の楽曲の中で次に選択した楽曲に対応するダウンロード用のオーディオデータに対する次に選択した楽曲の先頭識別データ及び終了識別データを識別データ検出手段によって検出し、次に選択した楽曲の先頭識別データが検出されたら記録開始指令を発生し、次に選択した楽曲の終了識別データが検出されたら、記録終了指令を発生する処理を繰り返すように制御する制御手段とを備え、
蓄積装置は、受信装置から記録開始指令が与えられると受信装置からの選択された複数の楽曲の各楽曲の記録を開始し、受信装置から記録終了指令が与えられると選択された複数の楽曲の各楽曲の記録を終了するような処理を行う記録制御手段を有することを特徴とする情報蓄積システムである。
【００１１】
請求項２に係わる発明は、各チャンネルにおいて所定期間内で同一の楽曲が繰り返し配信され、複数のチャンネルの複数の楽曲からなる音声ディジタルデータと、音声ディジタルデータに含まれる楽曲に対するデータが所定の圧縮形式で圧縮され、チャンネルと異なるチャンネルを通じて所定期間内で所定単位で順次送信されるダウンロード用の音声データと、情報画面を形成するためのディジタルデータとが多重化された信号を受信する受信装置と、
受信装置の出力を蓄積する蓄積装置とからなり、
ダウンロード用のオーディオデータの中から複数の楽曲のオーディオデータを選択し、オーディオデータを蓄積装置に記録するようした情報蓄積システムにおいて、
ダウンロード用のオーディオデータ中には楽曲の先頭を示す先頭識別データ及び終了を示す終了識別データが挿入されており、
情報画面のデータをデコードしてダウンロード可能な楽曲をリストで表示する情報画面を映出する手段と、
受信装置は、
映出される複数の楽曲のリストを表示し、リストの中の所望の楽曲が順次指定されることによって、蓄積したい複数の楽曲を選択する入力手段と、
受信され、且つ選択されたダウンロード用の音声データ中から先頭識別データ及び終了識別データを検出する識別データ検出手段と、
ダウンロード用の音声データの中から、蓄積したい複数の楽曲の中で最初に選択した楽曲に対応するダウンロード用のオーディオデータを最初に選択した楽曲の先頭識別データ及び終了識別データを検出し、最初に選択した楽曲の先頭識別データが検出されたら記録開始指令を発生し、最初に選択した楽曲の終了識別データが検出されたら、記録終了指令を発生し、
蓄積したい複数の楽曲の中で次に選択した楽曲に対応するダウンロード用のオーディオデータを次に選択した楽曲の先頭識別データ及び終了識別データを検出し、次に選択した楽曲の先頭識別データが検出されたら記録開始指令を発生し、次に選択した楽曲の終了識別データが検出されたら、記録終了指令を発生する処理を繰り返すように制御する制御手段を有し、
蓄積装置は、受信装置から記録開始指令が与えられると、受信装置からの信号の記録を開始し、受信装置から記録終了指令が与えられると、受信装置からの信号の記録を終了するような処理を行う記録制御手段を有することを特徴とする情報蓄積システムである。
【００１４】
複数のオーディオチャンネルで送られてくる各オーディオデータには、楽曲の先頭及び終了に対応して、スタートフラグ及びエンドフラグが設けられる。オーディオチャンネルで送られてきたオーディオ信号をストレージデバイスに記録する際、このスタートフラグ及びエンドフラグを検出することにより、先頭から終了まで、各楽曲をストレージデバイスに確実に記録することができる。また、ダウンロード用のオーディオデータのストリーム中には、楽曲の先頭及び終了に対応して、ＩＤデータが挿入される。オーディオチャンネルで送られてきたオーディオ信号をストレージデバイスに記録する際、このＩＤデータを検出することにより、先頭から終了まで、各楽曲をストレージデバイスに確実に記録することができる。そして、このようなスタートフラグ及びエンドフラグを利用することにより、複数の楽曲を予約しておき、この予約した楽曲を順番にストレージデバイスに録音することができる。また、ＩＤデータを利用することにより、複数の楽曲を予約しておき、この予約した楽曲を順番にストレージデバイスにダウンロードすることができる。
【００１５】
【発明の実施の形態】
この発明が適用されたシステムは、ディジタル衛星放送を使って音楽番組を放送すると共に、この音楽番組と関連するようなオーディオデータを配信することにより、視聴者が音楽番組を試聴していて気に入った楽曲があった場合に、その場でその楽曲を簡単に購入できるようにしたものである。
【００１６】
図１は、この発明が適用されたシステムの全体構成を示すものである。図１において、１は衛星放送システムの地上局である。地上局１には、番組放送素材サーバ１１からの音楽番組放送の素材と、オーディオチャンネル番組放送素材サーバ１２Ａ、１２Ｂ、…からのオーディオチャンネルの素材と、ダウンロード用オーディオデータ素材サーバ１３からのダウンロード用のデータと、ＧＵＩデータサーバ１４からのグラフィックユーザインターフェース用の画面を表示するためのデータが送られる。
【００１７】
番組放送素材サーバ１１は、通常の音楽放送番組の素材を提供するサーバである。この番組放送素材サーバ１１から送られてくる音楽放送の素材は動画及び音声であり、通常の音楽放送番組では、例えば、新曲紹介のプロモーション用のビデオが放送されたり、最新のヒット曲のカウントダウンが放映されていたりする。
【００１８】
オーディオチャンネル番組放送素材サーバ１２Ａ、１２Ｂ、…は、オーディオチャンネルを使って、オーディオ番組を提供するサーバである。このオーディオチャンネル番組放送の素材は音声のみである。各オーディオチャンネル番組放送では、夫々、同一の楽曲が所定の単位時間繰り返して放送され、この楽曲は、後に説明するダウンロード用の楽曲と関連している。各オーディオチャンネルは、夫々、独立しており、各オーディオチャンネルの利用方法は各種のものが考えられる。例えば、１つのオーディオチャンネルでは、最新の日本のポップスの中の推薦曲を所定時間繰り返して放送し、他のオーディオチャンネルでは、最新のアメリカンポップスの中の推薦曲を所定時間繰り返して放送し、更に他のオーディオチャンネルでは、ジャズの中から推薦曲を所定時間繰り返して放送するようにしても良い。また、同じアーチストの複数の楽曲を夫々のオーディオチャンネルに分けて繰り返して放送するようにしても良い。
【００１９】
ダウンロード用のオーディオデータ素材サーバ１３は、ダウンロード用の複数のオーディオデータを提供している。このダウンロード用のオーディオデータは、オーディオチャンネル番組放送で放送されている楽曲と関連している。すなわち、例えば、上述のように、１つのオーディオチャンネルでは、最新の日本のポップスの推薦曲が所定時間繰り返して放送され、他のオーディオチャンネルでは、最新のアメリカンポップスの中の推薦曲が所定時間繰り返して放送され、更に他のオーディオチャンネルでは、ジャズの中から推薦曲が所定時間繰り返して放送されているとする。この場合、オーディオチャンネルで取り上げられている最新の日本のポップスの推薦曲や、最新のアメリカンポップスの推薦曲や、ジャズの中の推薦曲のオーディオデータがダウンロード用のオーディオデータとして提供される。
【００２０】
なお、オーディオチャンネル番組で放送される楽曲は、紹介のための音楽放送であるから、楽曲紹介のナレーションが含まれていたり、コマーシャルが含まれていたりする場合がある。
【００２１】
これに対して、ダウンロード用のオーディオデータでは、楽曲紹介のナレーションやコマーシャルは極力避けられ、なるべく完全な状態でオーディオデータが送られる。また、ダウンロード用のオーディオデータは、オーディオチャンネル番組で送られる音声よりも、音質の向上が図られている。
【００２２】
ＧＵＩ（Graphic User Interface）データサーバ１４は、配信される楽曲のリストページや各楽曲の情報ページの画面を形成するためのデータや、ＥＰＧ（Electric Program Guide）用の画面を形成するためのデータ等を提供するものである。後に説明するように、ダウンロードできる楽曲のリストや、その曲についての情報は、画面上で表示を見ながら行うことができる。ＧＵＩデータサーバ１４からは、そのためのデータが送られる。
【００２３】
地上局１は、これら、番組放送素材サーバ１１からの音楽番組放送の素材となるビデオデータ及びオーディオデータと、オーディオチャンネル番組放送素材サーバ１２Ａ、１２Ｂ、…からのオーディオチャンネルの素材となるオーディオデータと、ダウンロード用オーディオデータ素材サーバ１３からのダウンロード用のデータと、ＧＵＩデータサーバ１４からのデータとを多重化して送信する。このとき、音楽番組放送のビデオデータは、例えば、ＭＰＥＧ２（Moving Picture Experts Groupe ）方式により圧縮され、各オーディオチャンネルのオーディオデータは例えばＭＰＥＧ２オーディオ方式により圧縮され、ダウンロード用のオーディオデータは例えばＡＴＲＡＣ（Adaptive Transform Acoustic Coding）２方式により圧縮される。また、ダウンロード用のオーディオデータに対しては、キー情報サーバ１５からのキー情報を用いて、暗号化が施される。
【００２４】
地上局１からの信号は、衛星２を介して、各家庭の受信設備３で受信される。衛星２には、複数のトランスポンダが搭載されている。１つのトランスポンダは、例えば、３０Ｍｂｐｓの伝送能力を有している。
【００２５】
各家庭の受信設備としては、パラボラアンテナ２１と、ＩＲＤ２２（Integrated Receiver Decoder ）と、ストレージデバイス２３と、テレビジョン受像機２４とが用意される。パラボラアンテナ２１で、衛星２を介して送られてきた信号が受信される。この受信信号がパラボラアンテナ１１に取り付けられたＬＮＢ（Low Noise Block Downconverter ）２５で所定の周波数に変換され、ＩＲＤ２２に供給される。
【００２６】
ＩＲＤ２２は、受信信号から所定のチャンネルの信号を選択し、ビデオ信号及びオーディオ信号の復調を行うものである。また、ＩＲＤ２２により、配信される楽曲のリストページや各楽曲の情報ページや、ＥＰＧ用の画面が形成される。ＩＲＤ２２の出力がテレビジョン受像機２４に供給される。
【００２７】
ストレージデバイス２３は、ダウンロードされたオーディオデータを保存するためのものである。例えば、ストレージデバイス２３としては、ＭＤレコーダ／プレーヤ、ＤＣＣレコーダ／プレーヤ、ＤＡＴレコーダ／プレーヤ、ＤＶＤレコーダ／プレーヤ等を用いることが考えられる。また、ストレージデバイス２３としてパーソナルコンピュータを使い、ハードディスドライブにオーディオデータを保存したり、ＣＤ−Ｒにオーディオデータを保存することが考えられる。
【００２８】
ＩＲＤ２２は、例えば電話回線４を介して課金サーバ５と結ばれている。ＩＲＤ２２には、各種情報が記録されるＩＣカードが挿入される。オーディオデータのダウンロードが行われると、その情報がＩＣカードに記録される。このＩＣカードの情報は、電話回線４を介して、課金サーバ５に送られる。課金サーバ５は、このダウンロード情報から適切な課金を行い、ユーザに請求する。このように、適切な課金を行うことにより、ダウンロードされる楽曲の著作権を守ることができる。
【００２９】
このように、この発明が適用されたシステムでは、地上局１は、番組放送素材サーバ１１からの音楽番組放送の素材となるビデオデータ及びオーディオデータと、オーディオチャンネル番組放送素材サーバ１２Ａ、１２Ｂ、…からのオーディオチャンネルの素材となるオーディオデータと、ダウンロード用オーディオデータ素材サーバ１３からのダウンロード用のデータと、ＧＵＩデータサーバ１４からのデータとを多重化して送信している。
【００３０】
各家庭の受信設備３でこの放送を受信すると、音楽番組が見られる他、送られてきたＧＵＩデータサーバからのデータに基づいて、グラフィック画面が表示される。このグラフィック画面を見ながら必要な操作を行うと、各楽曲についての情報ページを見ることができ、また、各楽曲についての試聴を行うことができる。更に、グラフィック画面を見ながら必要な操作を行うことで、所望のオーディオデータをダウンロードして、ストレージデバイス２３に記録することができる。
【００３１】
このように、この発明が適用されたシステムでは、音楽放送番組が送られると共に、複数のオーディオチャンネルを使って楽曲が送られ、その楽曲のダウンロード用のオーディオデータが送られる。そして、放送されてくる楽曲のリストページや、各楽曲の情報ページを使って、各楽曲の情報を探しながら、所望の楽曲のデータをストレージデバイスに簡単に保存することができる。以下、このようなシステムについて、更に詳述する。
【００３２】
図２は、この発明が適用されたシステムにおける地上局１の構成を示すものである。
【００３３】
図２において、番組放送素材サーバ１１からのビデオデータは、ＭＰＥＧ２ビデオエンコーダ５１Ａ及びＭＰＥＧ２オーディオエンコーダ５１Ｂに供給される。オーディオチャンネル番組放送素材サーバ１２Ａ、１２Ｂ、…からのオーディオデータは、ＭＰＥＧ２オーディオエンコーダ５２Ａ、５２Ｂ、…に供給される。ダウンロード用オーディオデータ素材サーバ１３からのダウンロード用のオーディオデータは、ＡＴＲＡＣ２エンコーダ５３に供給される。ＧＵＩデータサーバ１４からのグラフィックユーザインターフェース用の画面を表示するためのデータがＧＵＩデータオーソリング回路５４に供給される。
【００３４】
番組放送素材サーバ１１からのビデオ信号は、ＭＰＥＧ２ビデオエンコーダ５１Ａで圧縮され、パケット化される。このビデオパケットがマルチプレクサ５６に供給される。また、番組放送素材サーバ１１からのオーディオ信号は、ＭＰＥＧ２オーディオエンコーダ５１Ｂで圧縮されパケット化される。このオーディオパケットがマルチプレクサ５６に供給される。
【００３５】
ＭＰＥＧ２オーディオエンコーダ５２Ａ、５２Ｂ、５２Ｃ、…で、オーディオチャンネル番組放送素材サーバ１２Ａ、１２Ｂ、…からのオーディオデータがＭＰＥＧ２オーディオ方式に基づいて圧縮され、パケット化される。このとき、識別信号発生回路４１Ａ、４１Ｂ、…からスタートフラグ及びエンドフラグが発生され、各曲の先頭及び終了位置に対応して、このスタートフラグ及びエンドフラグが付加される。
【００３６】
すなわち、ＭＰＥＧ２オーディオでは、図３に示すように、ヘッダと、エラーチェックコードと、オーディオデータと、伝送チャンネルと、マルチリンダルと、アンシラリー・データとからなる。このアンシラリー・データには、任意のデータを挿入することが可能である。そこで、このアンシラリー・データに、スタートフラグ及びエンドフラグが挿入される。
【００３７】
このスタートフラグ及びエンドフラグは、各家庭の受信設備３側で、受信したオーディオチャンネルのデータをストージ２３で録音する際に、各曲の先頭から最後まで確実に録音できるようにするために使用される。また、このスタートフラグ及びエンドフラグは、受信設備３側で録音する楽曲を予約しておくような制御を行なう際にも用いられる。
【００３８】
図２において、ＡＴＲＡＣ２エンコーダ５３で、ダウンロード用オーディオデータ素材サーバ１３からのダウンロード用のオーディオデータがＡＴＲＡＣ２方式で圧縮され、パケット化される。このデータパケットは暗号化回路５７に送られる。暗号化回路５７により、このデータパケットが暗号化される。暗号化回路５７の出力がマルチプレクサ５６に供給される。このように、各オーディオデータを暗号化するのは、不正なダウンロードが行われて、著作権が侵害されるのを防ぐためである。また、このときの暗号解読のための情報が暗号化情報発生回路５８からマルチプレクサ５６に送られる。
【００３９】
また、ＡＴＲＡＣ２エンコーダ５３でパケットを形成する際に、ＩＤ発生回路４２から各曲の先頭及び終了位置に対応して、ＩＤデータが送られる。このＩＤ信号がデータパケットのヘッダに含められる。
【００４０】
このＩＤデータは、各家庭の受信設備３側で、受信したオーディオチャンネルのデータをストージ２３で録音する際に、各曲の先頭から最後まで確実に録音できるようにするために使用される。また、このフラグ及びＩＤデータは、受信設備３側で録音する楽曲を予約しておくような制御を行なう際にも用いられる。
【００４１】
ＧＵＩデータオーソリング回路５４で、ＧＵＩデータサーバ１４からのグラフィックユーザインターフェース用の画面のデータが処理され、パケット化される。このデータパケットがマルチプレクサ５６に供給される。
【００４２】
マルチプレクサ５６で、ＭＰＥＧ２ビデオエンコーダ５１Ａからのビデオパケット及びＭＰＥＧ２オーディオエンコーダ５１Ｂからのオーディオパケットと、ＭＰＥＧ２オーディオエンコーダ５２Ａ、５２Ｂ、５２Ｃ、…からのオーディオパケットと、暗号化回路５７を介されたＡＴＲＡＣ２エンコーダ５３からのデータパケットと、ＧＵＩデータオーソリング回路５４からのデータパケットとが多重化される。
【００４３】
マルチプレクサ５６の出力がＱＰＳＫ変調回路５７に供給される。ＱＰＳＫ変調回路５７で、送信データがＱＰＳＫ変調される。ＱＰＳＫ変調回路５７の出力が高周波回路５８に供給される。高周波回路５８で、搬送波周波数が所定の周波数となるように周波数変換され、電力増幅が行われる。この高周波回路５８の出力がアンテナ５９から衛星２に向けて送信される。
【００４４】
このように、地上局１においては、番組放送用のビデオデータ及びオーディオデータがＭＰＥＧ２方式で圧縮され、オーディオチャンネルのオーディオデータがＭＰＥＧ２オーディオ方式で圧縮され、ダウンロード用のオーディオデータがＡＴＲＡＣ２方式で圧縮される。そして、これらビデオデータと、オーディオデータと、ダウンロード用のオーディオデータと、ＧＵＩ用データとが多重化されて、送信される。
【００４５】
図４は、地上局１から送信されるデータの一例を示すものである。図４に示すように、時刻Ｔ1 から時刻Ｔ2 の間が１つの番組（番組ＰＲＧ１）とされ、時刻Ｔ2 から時刻Ｔ3 の間が１つの番組（番組ＰＲＧ２）とされる。各番組ＰＲＧ１、ＰＲＧ２の時間は、３０分又は１時間を単位とするのが普通である。
【００４６】
図４に示すように、時刻Ｔ1 から時刻Ｔ2 の番組ＰＲＧ１では、通常の動画の番組放送で、楽曲Ａ１、Ａ２、Ａ３、…に関する音楽番組が放送されている。また、時刻Ｔ2 から時刻Ｔ3 の番組ＰＲＧ２の間では、楽曲Ａ１１、Ａ１２、Ａ１３、…に関する音楽番組が放送されている。この通常の音楽番組で放送されているのは、動画と音声である。
【００４７】
オーディオチャンネルは、例えば、チャンネルＣＨ１からＣＨ１０の１０チャンネル分用意される。このとき、各オーディオチャンネルＣＨ１、ＣＨ２、ＣＨ３、…では、１つのプログラムＰＲＧ１、ＰＲＧ２の間、同一の楽曲が繰り返して送信される。すなわち、時刻Ｔ1 から時刻Ｔ2 の番組ＰＲＧ１では、オーディオチャンネルＣＨ１では、楽曲Ｂ１が繰り返して送信され、オーディオチャンネルＣＨ２では楽曲Ｃ１が繰り返して送信され、オーディオチャンネルＣＨ３では楽曲Ｄ１が繰り返して送信される。時刻Ｔ1 から時刻Ｔ2 の番組ＰＲＧ２では、オーディオチャンネルＣＨ１では、楽曲Ｂ１１が繰り返して送信され、オーディオチャンネルＣＨ２では楽曲Ｃ１１が繰り返して送信され、オーディオチャンネルＣＨ３では楽曲Ｄ１１が繰り返して送信される。
【００４８】
ダウンロード用のオーディオデータは、例えば、１分を１単位として、この１分で１０曲分のデータが送られる。このダウンロード用のオーディオデータでは、オーディオチャンネルＣＨ１、ＣＨ２、ＣＨ３、…ＣＨ１０に対応するデータが送られる。
【００４９】
すなわち、時刻Ｔ1 から時刻Ｔ2 の番組ＰＲＧ１では、オーディオチャンネルＣＨ１、ＣＨ２、ＣＨ３、…、ＣＨ１０で送信されている１０曲分のオーディオデータ（楽曲Ｂ１、楽曲Ｃ１、楽曲Ｄ１、…）が例えば１分間で送られる。時刻Ｔ2 から時刻Ｔ3 の番組ＰＲＧ２では、オーディオチャンネルＣＨ１、ＣＨ２、ＣＨ３、…、ＣＨ１０で送信されている１０曲分のオーディオチャンネルデータ（楽曲Ｂ１１、楽曲Ｃ１１、楽曲Ｄ１１、…）が例えば１分間で送られる。
【００５０】
ダウンロード用のオーディオデータは、例えば、１分を単位として送られ、また、ダウンロード用のリストページや楽曲選択ページの画像を表示させるためのデータや、ＥＰＧ用のデータ等は、１０秒を単位として送られる。
【００５１】
図４に示すように、各番組ＰＲＧ１、ＰＲＧ２では、通常のビデオ放送のデータと、複数のオーディオチャンネルのデータと、ダウンロード用のオーディオデータと、ＧＵＩ用のデータとが多重化されて送られてくる。したがって、通常の番組放送のデータのビットレートをＢ1 、１つのオーディオチャンネルのビットレートをＢ2 、オーディオチャンネルのチャンネル数をｎ、ダウンロード用のオーディオデータのビットレートをＢ3 、ＧＵＩ用のデータのビットレートをＢ4 とすると、全体のビットレートＢA は、
ＢA ＝Ｂ1 ＋ｎ・Ｂ2 ＋Ｂ3 ＋Ｂ4 
となる。
【００５２】
通常の番組放送のデータのビットレートをＢ1 は、１チャンネル当たり、
Ｂ1 ＝５Ｍｂｐｓである。
【００５３】
オーディオチャンネルＣＨ１、ＣＨ２、ＣＨ３、…の１チャンネル当たりのビットレートＢ2 を、
Ｂ2 ＝２５６ｋｂｐｓ
とする。チャンネル数ｎを例えば１０チャンネルとすると、
ｎ・Ｂ2 ＝２５６ｋｂｐｓ×１０＝２．５６Ｍｂｐｓ
である。
【００５４】
ＡＴＲＡＣ２により圧縮されたダウンロード用のオーディオデータは１２８ｋｂｐｓであるとする。そして、ダウンロード用のオーディオデータは、１曲当たりの時間を５分とし、１０曲分を１分で送るとする。この場合、ダウンロード用のオーディオデータのビットレートをＢ3 は、
Ｂ3 ＝１２８ｋｂｐｓ×１０曲×５分×６０秒／６０秒＝６．４Ｍｂｐｓ
となる。
【００５５】
ＣＧＩ用のデータとしては、１曲当たり２００ｋｂｙｔｅのデータを使用するとする。そして、１０曲分を１０秒間で送るものとする。この場合、ＣＧＩ用のデータのビットレートＢ4 は、
Ｂ4 ＝２００ｋｂｙｔｅ×１０曲×８ｂｉｔ／１０秒＝１．６Ｍｂｐｓ
となる。
【００５６】
したがって、全体のビットレートＢA は、
ＢA ＝Ｂ1 ＋ｎ・Ｂ2 ＋Ｂ3 ＋Ｂ4 
＝５Ｍｂｐｓ＋２．５６Ｍｂｐｓ＋６．４Ｍｂｐｓ＋１．６Ｍｂｐｓ
＝１５．５６Ｍｂｐｓ
となる。これは、衛星２の１トランスポンダが３０Ｍｂｐｓであることから、１トランスポンダの半分を使って送れるということになる。
【００５７】
次に、各家庭の受信設備３について説明する。図１に示したように、各家庭の受信設備としては、パラボラアンテナ２１と、ＩＲＤ２２と、ストレージデバイス２３と、テレビジョン受像機２４とが用意される。ストレージデバイス２３としては、例えば、ＭＤレコーダ／プレーヤ、ＤＣＣレコーダ／プレーヤ、ＤＡＴレコーダ／プレーヤ、ＤＶＤレコーダ／プレーヤ等、種々のものを用いることができる。
【００５８】
図５は、ＩＲＤ２２の構成の一例を示すものである。図５において、パラボラアンテナ２１で衛星２からのディジタル衛星放送が受信される。パラボラアンテナ２１の受信信号は、パラボラアンテナ２２に取り付けられたＬＮＢ２５に供給され、ＬＮＢ２５で受信信号が所定の周波数の信号にダウンコンバートされる。
【００５９】
ＬＮＢ２５の出力がチューナ回路７１に供給される。チューナ回路７１で、コントローラ７６からの設定信号に基づいて、受信信号の中から所定受信周波数の信号が選択される。
【００６０】
チューナ回路７１の出力がＱＰＳＫ復調回路７２に供給される。ＱＰＳＫ復調回路７２で、受信信号がＱＰＳＫ復調され、受信信号のビットストリームが復調される。ＱＰＳＫ復調回路７２の出力がエラー訂正回路７３に供給される。エラー訂正回路７３で、エラーが検出、訂正される。
【００６１】
エラー訂正回路７３の出力がデマルチプレクサ７４に供給される。デマルチプレクサ７４は、エラー訂正回路７３から出力されるビットストリーム信号を受け、これをデータバッファメモリ７５に一旦記憶させる。そして、これをパケット列の形にフレーミングし、パケット毎に所望のデータであるかどうかを判別し、データを振り分ける。
【００６２】
前述したように、地上局１からは、通常の番組放送を行うためのビデオデータ及びオーディオデータと、複数のオーディオチャンネルのオーディオデータと、ダウンロード用のオーディオデータと、ＧＵＩ用のデータが送られてくる。ビデオデータはＭＰＥＧ２方式で圧縮されており、オーディオデータはＭＰＥＧ２オーディオ方式で圧縮されており、ダウンロード用のオーディオデータはＡＴＲＡＣ２方式で圧縮されている。
【００６３】
デマルチプレチサ７４は、受信されたパケットを、ビデオデータと、オーディオデータと、ダウンロード用のオーディオデータと、ＧＵＩ用のデータとに振り分ける。
【００６４】
デマルチプレクサ７４で振り分けられたビデオデータは、ＭＰＥＧ２ビデオデコーダ７８に供給される。ＭＰＥＧ２ビデオデコーダ７８は、入力されたデジタルビデオ信号をバッファメモリ７９に適宣記憶させ、ＭＰＥＧ２により圧縮されたビデオ信号をデコードするものである。ＭＰＥＧ２ビデオデコーダ７８により、コンポーネントビデオ信号がデコードされる。
【００６５】
ＭＰＥＧ２ビデオデコーダ７８の出力が例えばＮＴＳＣ方式のアナログビデオエンコーダ８０に供給される。アナログビデオエンコーダ８０で、コンポーネントビデオ信号から、例えばＮＴＳＣ方式のコンポジットビデオ信号が形成される。このビデオ信号が出力端子８１から出力される。
【００６６】
オーディオチャンネルのオーディオデータは、ＭＰＥＧ２オーディオデコーダ８２に供給される。ＭＰＥＧオーディオデコーダ８２は、入力されたデジタルオーディオ信号をバッファメモリ８３に適宣記憶させ、ディジタルオーディオ信号をデコードする。
【００６７】
ＭＰＥＧ２オーディオデコーダ８２の出力がＤ／Ａコンバータ８４に供給される。Ｄ／Ａコンバータ８４により、ディジタルオーディオ信号がアナログオーディオ信号に変換される。Ｄ／Ａコンバータ８４の出力が出力端子８５から出力される。
【００６８】
ダウンロード用のオーディオデータは、バッファメモリ８６に一旦蓄えられる。バッファメモリ８６の出力が暗号解読回路８７に供給される。前述したように、ダウンロード用のオーディオデータは暗号化されており、暗号解読に必要なキーは、ＩＣカード８８から発生される。
【００６９】
ゲート回路８９には、バッファメモリ８６からダウンロード完了情報が供給されると共に、デマルチプレクサ７４から、受信された暗号解読に必要な情報が供給される。
【００７０】
オーディオデータをダウンロードする際には、バッファメモリ８６にデータが蓄えられると、ゲート回路８９が開き、暗号解読に必要な情報がＩＣカード８８に供給される。これにより、ＩＣカード８８から暗号化回路８７にキーが渡される。暗号解読回路８７で、ＩＣカード８８からのキーに基づいて、暗号が解読される。また、このとき、ＩＣカード８８には、課金情報が記憶される。
【００７１】
暗号解読回路８７の出力がＡＴＲＡＣ２デコーダ９０に供給されると共に、スイッチ回路９１の端子９１Ｂに供給される。ＡＴＲＡＣ２デコーダ９０で、ＡＴＲＡＣ２のデコード処理が行われる。ＡＴＲＡＣ２デコーダ９０からは、ＰＣＭオーディオ信号が出力される。このＡＴＲＡＣ２デコーダ９０の出力がスイッチ回路９１の入力端子９１Ａに供給される。
【００７２】
スイッチ回路９１は、コントローラ７６により制御される。スイッチ回路９１が端子９１Ａ側に設定されるときには、スイッチ回路９１からは、ＰＣＭオーディオ信号が出力される。スイッチ回路９１が端子９１Ｂ側に設定されると、ＡＴＲＡＣ２方式で圧縮されたディジタルオーディオ信号がスイッチ回路９１から出力される。
【００７３】
スイッチ回路９１の出力がウォータマーク付加回路９２に供給される。ウォータマーク付加回路９２は、著作権を保護するために、オーディオデータに電子透かしを付加するものである。
【００７４】
ウォータマーク付加回路９２の出力は、ディジタル信号出力端子９３に供給されると共に、Ｄ／Ａコンバータ９４に供給される。Ｄ／Ａコンバータ９４でディジタルオーディオ信号がアナログオーディオ信号に変換される。このアナログオーディオ信号が出力端子９５から出力される。ディジタル信号出力端子９３からは、ディジタルオーディオ信号（ウォーターマークが付加されている）が出力される。
【００７５】
ＧＵＩ用のデータは、コントローラ７６に供給される。コントローラ７６で、これらのデータに基づいて、リストページの画面や各楽曲の情報ページの画面、或いはＥＰＧ用の画面が形成される。このようにして形成された画面は、バッファメモリ７９の所定のエリアに書き込まれる。これにより、画面上の指定のエリアに、放送されてくる楽曲のリストページや各楽曲の情報ページの画面、或いはＥＰＧ用の画面を写し出すことができる。
【００７６】
コントローラ７６は、全体の処理を行っている。また、コントローラ７６に対して、入力キー９８を介して入力が与えられる。また、コントローラ７６には、モデム９９が接続されている。課金に必要な情報は、ＩＣカード８８に記録される。このＩＣカード８８の情報は、モデム９９を用いて、電話回線４を介して、課金サーバ５（図１）に送られる。
【００７７】
また、制御信号入出力端子９７が設けられ、この制御信号入出力端子９７とコントローラ７６とが接続される。この制御端子９６を介して、ストレージデバイス２３とコントローラ７６との間で、制御信号のやり取りが行われる。
【００７８】
更に、例えば、ＩＥＥＥ１３９４のディジタルインターフェース９６が設けられる。このディジタルインタフェース９６には、ウォータマーク付加回路９２の出力が供給されると共に、このディジタルインターフェース９６を介して、コントローラ７６との間で、制御信号のやり取りを行うことができる。
【００７９】
このように、ＩＲＤ２２には、アナログのオーディオが出力される出力端子９５と、ＰＣＭオーディオデータ又はＡＴＲＡＣ２で圧縮されたオーディオデータが出力されるＩＥＣ９５８のようなデータ出力端子９３と、ＩＥＥＥ１３９４のようなディジタルインターフェース９６と、制御信号入出力端子９７とが備えられている。
【００８０】
このように、複数の出力端子を有しているため、ストレージデバイスに備えられている入力端子に応じて、ストレージデバイス２３との接続を行なうことができる。
【００８１】
つまり、ストレージデバイス２３がアナログオーディオ入力端子のみの場合には、ＩＲＤ２２とストレージデバイス２３とを接続するのに、アナログオーディオ信号が出力端子９５が用いられる。
【００８２】
ストレージデバイス２３がＰＣＭデータのディジタル入力端子を備えている場合には、ＩＲＤ２２とストレージデバイス２３とを接続するのに、データ出力端子９３が用いられる。このとき、スイッチ回路９１は、端子９１Ａ側に設定される。
【００８３】
ストレージデバイス２３がＡＴＲＡＣデータの入力端子を備えている場合には、ＩＲＤ２２とストレージデバイス２３とを接続するのに、ディジタル信号出力端子９３が用いられる。このとき、スイッチ回路９１は、端子９１Ｂ側に設定される。
【００８４】
また、ストレージデバイス２３が制御信号の入出力端子を有している場合には、ＩＲＤ２２の制御信号入出力端子９７と、ストレージデバイス２３が制御信号の入出力端子ＣＴＬ２との間で、データのやり取りが行われる。
【００８５】
更に、ストレージデバイス２３がＩＥＥＥ１３９４のようなディジタルインターフェースＤＩＦ２を備えているような場合には、ＩＲＤ２２のディジタルインターフェース９６と、ストレージデバイス２３のディジタルインターフェースとが接続される。
【００８６】
また、各オーディオチャンネルから復調されたオーディオ信号は、出力端子８５から出力される。この出力端子８５とストレージデバイス２３のアナログオーディオ入力端子とを接続すると、オーディオチャンネルから復調されたオーディオ信号をストレージデバイス２３で録音することができる。
【００８７】
また、ストレージデバイス２３が制御信号の入出力端子を有している場合には、ＩＲＤ２２の制御信号入出力端子９７と、ストレージデバイス２３が制御信号の入出力端子との間で、データのやり取りを行なって、録音制御を行なうことができる。
【００８８】
図６は、各家庭の受信設備３のテレビジョン受像機２４に表示されるＧＵＩ画面の一例である。各家庭の受信設備３でこの放送を受信すると、送られてきたＧＵＩデータサーバからのデータに基づいて、図６に示すようなグラフィック画面が表示される。このグラフィック画面を見ながら必要な操作を行なうと、各楽曲についての情報ページを見ることができ、各楽曲についての試聴を行なうこができる。更に、グラフィック画面を見ながら必要な操作を行なうことで、所望のオーディオデータをダウンロードして、ストレージデバイス２４に記録したり、オーディオチャンネルのデータをストレージデバイス２４に録音したりすることができる。
【００８９】
そして、前述したように、各オーディオチャンネルで送られてくるオーディオデータには、各楽曲の先頭及び終了のタイミングで、スタートフラグ及びエンドフラグが付加されている。また、ダウンロード用のオーディオデータには、各楽曲の先頭及び終了のタイミングで、ＩＤデータが付加されている。ストレージデバイスがストレージデバイス２３が制御信号の入出力端子を有している場合には、ＩＲＤ２２とストレージデバイス２３との間で双方向にデータをやり取りすることができる。この場合には、これらのフラグやＩＤデータを使って、楽曲の先頭から終了まで確実に録音することができるようにしたり、複数の楽曲を予約順に録音したりすることが可能になる。
【００９０】
つまり、各家庭の受信設備３で放送を受信すると、図６Ａに示すように、ＧＵＩデータサーバからのデータに基づいて、画面１０１が表示される。画面１０１には、アーチスト名１０３、１０３、…や、ダウンロード可能な楽曲の曲名１０４、１０４、…が表示され、各楽曲の選択ボタン１０５、１０５、…が表示される。
【００９１】
視聴者は、この画面１０１表示されている曲名を見ながら、興味のある楽曲を探していく。各楽曲についての詳細な情報を見たい場合には、例えば、リモートコマンダの矢印キーを操作して、情報を得たい楽曲の選択ボタン１０５を押す。
【００９２】
所望の楽曲の楽曲選択ボタン１０５が押されると、図６Ｂに示すように、楽曲の情報ページ１１１が表示されると共に、その楽曲のオーディオチャンネルに切り換えられる。その楽曲のオーディオチャンネルでは、その楽曲が繰り返し送られている。そして、この各楽曲の情報ページ１１１には、その楽曲が収められているＣＤのジャケット等の静止画１１２が表示される。更に、この画面１１１には、アーチスト名、曲目、作詞者、作曲者、歌詞、ライブ情報等の楽曲の詳細情報１１３が表示されると共に、録音ボタン１１５、ダウンロードボタン１１６、戻りボタン１１７が表示される。
【００９３】
録音ボタン１１５は、オーディオチャンネルで復調されたオーディオ信号をストレージデバイス２３で記録させるためのボタンである。ダウンロードボタン１１６は、ダウンロード用のオーディオデータをダウンロードして、ストレージデバイス２３に記録させるためのボタンである。戻りボタン１１７は、前のページの画面に戻るためのボタンである。
【００９４】
このように、配信される楽曲のリストページ１０１及び各楽曲の情報ページ１１１により、視聴者は、現在どのような楽曲が配信されているのかを知ることができ、各楽曲についての詳細な情報を知ることができる。
【００９５】
ここで、その楽曲を録音したい場合には、視聴者は、矢印キーを操作して、録音ボタン１１５を押す。録音ボタン１１５が押されると、対応する楽曲が放送されているオーディオチャンネルに設定され、このオーティオチャンネルで送られている楽曲がストレージデバイス２３に記録される。
【００９６】
なお、このとき、図７に示すように、各オーディオチャンネルＣＨ１、ＣＨ２、…で送られてくるオーディオデータには、各楽曲の先頭及び終了のタイミングで、スタートフラグＳＦＬＧ及びエンドフラグＥＦＬＧが付加されているため、このスタートフラグＳＦＬＧにより楽曲の先頭が検出された時点でストレージデバイス２３への記録が開始され、エンドフラグＥＦＬＧにより楽曲の終了が検出された時点でストレージデバイス２３への記録が終了される。このスタートフラグＳＦＬＧ及びエンドフラグＥＦＬＧを検出するために、図５に示すように、ＩＲＤ２２には、オーディオチャンネルで送られてきたオーディオデータ中のスタートフラグＳＦＬＧ及びエンドフラグＥＦＬＧを検出するためのフラグ検出回路６１が設けられる。このように、スタートフラグ及びエンドフラグを利用することで、ユーザは、録音のタイミングを気にする必要なく、楽曲の先頭から終了まで、記録することができる。
【００９７】
その楽曲を購入したい場合には、視聴者は、ダウンロードボタン１１６を押す。ダウンロードボタン１１６が押されると、選択された楽曲のオーディオデータがダウンロードされ、ストレージデバイス２３に記録される。
【００９８】
なお、このとき、図８に示すように、ダウンロード用のオーディオデータには、各楽曲の先頭及び終了のタイミングで、ヘッダにＩＤデータｉｄが付加されているため、このＩＤデータｉｄにより楽曲の先頭が検出された時点でストレージデバイス２３への記録が開始され、ＩＤデータｉｄにより楽曲の終了が検出された時点でストレージデバイス２３への記録が終了される。このＩＤデータｉｄを検出するために、図５に示すように、ＩＲＤ２２には、ＩＤ検出回路６２が設けられる。
【００９９】
また、リストページに戻りたい場合には、戻りボタン１１７が押される。戻りボタン１１７が押されると、図６Ａに示すリスト画面１０１に戻される。
【０１００】
このように、この発明が適用されたシステムでは、画面上には楽曲のリストページ１０１及び各楽曲の情報ページ１１１が表示され、これら楽曲のリストページ１０１及び各楽曲の情報ページ１１１により各楽曲についての情報を知ることができる。そして、その楽曲が選択されると、その楽曲を試聴することができ、録音ボタン１１５が押されると、オーディオチャンネルで送られてきたこの楽曲のオーディオ信号がストレージデバイス２３に記録され、ダウンロードボタン１１６が押されると、その楽曲のダウンロード用のオーディオデータがダウンロードされて、ストレージデバイス２３に記録される。
【０１０１】
図９は、録音ボタン１１５により、オーディオチャンネルで送られてきた楽曲をストレージデバイス２３に記録する際の処理を示すフローチャートである。なお、図９で、ステップＳ１〜Ｓ７は、ＩＲＤ２２側の処理を示し、ステップＳ１１〜Ｓ１４は、ストレージデバイス２３側の処理を示している。
【０１０２】
放送が受信されると（ステップＳ１）、ＧＵＩ用のデータによりグラフィック画面が表示される（ステップＳ２）。このとき、ストレージデバイス２３側は、録音スタンバイ状態に設定されている（ステップＳ１１）。
【０１０３】
ここで、楽曲選択ボタン１０３により楽曲が指定されると（ステップＳ３）、選択された楽曲の情報ページが表示されると共に、その楽曲のオーディオチャンネルに切り換えられる。各オーディオチャンネルでは、所定の単位時間中、同一の楽曲が繰り返し放送されているため、選択された楽曲が繰り返して聞けるようになる（ステップＳ４）。
【０１０４】
そして、録音ボタン１１５が押されると（ステップＳ５）、スタートフラグＳＦＬＧの検出が行なわれ、最初のスタートフラグＳＦＬＧが検出されると、ＩＲＤ２２からストレージデバイス２３に録音開始指令が与えられる（ステップＳ６）。
【０１０５】
ストレージデバイス２３が側では、ＩＲＤ２２から録音開始指令が与えられると、この指令を受けて、録音状態に設定される（ステップＳ１２）。そして、ＩＲＤ２２側から録音停止指令が与えられるまで、録音状態が続けられる（ステップＳ１３）。
【０１０６】
ＩＲＤ２２側では、次に、エンドフラグＥＦＬＧを検出しており、エンドフラグＥＦＬＧが検出されると、ＩＲＤ２２からストレージデバイス２３に録音停止指令が与えられ（ステップＳ７）、ステップＳ１にリターンされる。
【０１０７】
ストレージデバイス２３が側では、ＩＲＤ２２から録音停止指令が与えられると、この指令を受けて、録音が停止され（ステップＳ１４）、ステップＳ１１にリターンされる。
【０１０８】
図１０は、ダウンロードボタン１１６により、ダウンロード用のオーディオデータをストレージデバイス２３に記録する際の処理を示すフローチャートである。なお、図１０で、ステップＳ３１〜Ｓ３７は、ＩＲＤ２２側の処理を示し、ステップＳ４１〜Ｓ４４は、ストレージデバイス２３側の処理を示している。
【０１０９】
放送が受信されると（ステップＳ３１）、ＧＵＩ用のデータによりグラフィック画面が表示される（ステップＳ３２）。このとき、ストレージデバイス２３側は、録音スタンバイ状態に設定されている（ステップＳ４１）。
【０１１０】
ここで、楽曲選択ボタン１０３により楽曲が指定されると（ステップＳ３３）、選択された楽曲の情報ページ４０が表示されると共に、その楽曲のオーディオチャンネルに切り換えられる。各オーディオチャンネルでは、所定の単位時間中、同一の楽曲が繰り返し放送されているため、選択された楽曲が繰り返して聞けるようになる（ステップＳ３４）。
【０１１１】
そして、ダウンロードボタン１１６が押されると（ステップＳ３５）、ＩＤデータの検出が行なわれ、ＩＤデータが検出されると、ＩＲＤ２２からストレージデバイス２３に録音開始指令が与えられる（ステップＳ３６）。
【０１１２】
ストレージデバイス２３が側では、ＩＲＤ２２から録音開始指令が与えられると、この指令を受けて、録音状態に設定される（ステップＳ４２）。そして、ＩＲＤ２２側から録音停止指令が与えられるまで、録音状態が続けられる（ステップＳ４３）。
【０１１３】
ＩＲＤ２２側では、ＩＤデータを検出しており、ＩＤデータが検出されると、ＩＲＤ２２からストレージデバイス２３に録音停止指令が与えられ（ステップＳ３７）、ステップＳ３１にリターンされる。
【０１１４】
ストレージデバイス２３が側では、ＩＲＤ２２から録音停止指令が与えられると、この指令を受けて、録音が停止され（ステップＳ４４）、ステップＳ４１にリターンされる。
【０１１５】
上述の例では、各１つの楽曲毎に録音キー１１５及びダウンロードキー１１６を操作して、ストレージデバイス２３への記録を行なっていたが、複数の楽曲を予め予約しておき、順に録音又はダウンロードすることも可能である。
【０１１６】
つまり、図１１に示すように、予約ボタン１１８が設けられ、この予約ボタン１１８を操作して、複数の楽曲を録音ボタン１１５が指定すると、図１１Ｃに示すように、予約された楽曲の番号１２１、１２１、…が表示される。このように、複数の楽曲を予約しておくと、予約された順にオーディオチャンネルが切り換えられ、予約されか順にこの楽曲がストレーシデバイス２３に記録される。
【０１１７】
図１２はそのときの処理を示すフローチャートである。なお、図１２で、ステップＳ５１〜Ｓ５７は、ＩＲＤ２２側の処理を示し、ステップＳ６１〜Ｓ６４は、ストレージデバイス２３側の処理を示している。
【０１１８】
放送が受信されると（ステップＳ５１）、ＧＵＩ用のデータによりグラフィック画面が表示される（ステップＳ５２）。このとき、ストレージデバイス２３側は、録音スタンバイ状態に設定されている（ステップＳ６１）。
【０１１９】
ここで、予約ボタン１１８により複数の楽曲を順に指定して、録音ボタン１１５が押されると、録音予約がなされる（ステップＳ５３）。
【０１２０】
そして、予約された最初の楽曲のオーディオチャンネルに設定されて、スタートフラグＳＦＬＧの検出が行なわれ、最初のスタートフラグＳＦＬＧが検出されると、ＩＲＤ２２からストレージデバイス２３に録音開始指令が与えられる（ステップＳ５４）。
【０１２１】
ストレージデバイス２３が側では、ＩＲＤ２２から録音開始指令が与えられると、この指令を受けて、録音状態に設定される（ステップＳ６２）。そして、ＩＲＤ２２側から録音停止指令が与えられるまで、録音状態が続けられる（ステップＳ６３）。
【０１２２】
ＩＲＤ２２側では、次に、エンドフラグＥＦＬＧを検出しており、エンドフラグＥＦＬＧが検出されると、ＩＲＤ２２からストレージデバイス２３に録音停止指令が与えられる（ステップＳ５５）。
【０１２３】
このとき、ストレージデバイス２３が側では、ＩＲＤ２２から録音停止指令が与えられると、この指令を受けて、録音が停止され（ステップＳ６４）、ステップＳ６１にリターンされる。
【０１２４】
そして、予約されている最後の楽曲が記録されたか否かが判断される（ステップＳ５６）。最後の楽曲でなければ、次の楽曲に変更され、ステップＳ５４にリターンされ、同様の処理が行なわれ、次の楽曲の記録が行なわれる。最後の楽曲の記録が終了したら、ステップＳ５１にリターンされる。
【０１２５】
また、図１３に示すように、予約ボタン１１８が設けられ、この予約ボタン１１８を操作して、複数の楽曲をダウンロードボタン１１６で指定すると、図１３Ｃに示すように、予約された楽曲の番号１２２、１２２、…が表示される。このように、複数の楽曲を予約しておくと、予約されか順にダウンロード用のオーディオデータがストレーシデバイス２３に記録される。
【０１２６】
図１４はそのときの処理を示すフローチャートである。なお、図１４で、ステップＳ７１〜Ｓ７７は、ＩＲＤ２２側の処理を示し、ステップＳ８１〜Ｓ８４は、ストレージデバイス２３側の処理を示している。
【０１２７】
放送が受信されると（ステップＳ７１）、ＧＵＩ用のデータによりグラフィック画面が表示される（ステップＳ７２）。このとき、ストレージデバイス２３側は、録音スタンバイ状態に設定されている（ステップＳ８１）。
【０１２８】
ここで、予約ボタン１１８により複数の楽曲を順に指定して、ダウンロードボタン１１６が押されると、ダウンロード予約がなされる（ステップＳ７３）。
【０１２９】
そして、ＩＤデータの検出が行なわれ、ＩＤデータが検出されると、ＩＲＤ２２からストレージデバイス２３に録音開始指令が与えられる（ステップＳ７４）。
【０１３０】
ストレージデバイス２３が側では、ＩＲＤ２２から録音開始指令が与えられると、この指令を受けて、録音状態に設定される（ステップＳ８２）。そして、ＩＲＤ２２側から録音停止指令が与えられるまで、録音状態が続けられる（ステップＳ８３）。
【０１３１】
ＩＲＤ２２側では、次に、ＩＤデータを検出しており、ＩＤデータが検出されると、ＩＲＤ２２からストレージデバイス２３に録音停止指令が与えられる（ステップＳ７５）。
【０１３２】
このとき、ストレージデバイス２３が側では、ＩＲＤ２２から録音停止指令が与えられると、この指令を受けて、録音が停止され（ステップＳ８４）、ステップＳ８１にリターンされる。
【０１３３】
そして、予約されている最後の楽曲が記録されたか否かが判断される（ステップＳ７６）。最後の楽曲でなければ、次の楽曲のデータに変更され（ステップＳ７７）、ステップＳ７４にリターンされ、同様な処理により、次の楽曲の記録が行なわれる。最後の楽曲の記録が終了されたら、ステップＳ７１にリターンされる。
【０１３４】
なお、上述の例ではダウンロード用のオーディオデータとして、ＡＴＡＲＣ２で圧縮されたものを用いるようにしているが、圧縮方式は、ＡＴＡＲＣ２に限定されるものではない。他の圧縮方式、例えば、ＡＴＲＡＣを用いるようにしても良い。
【０１３５】
【発明の効果】
この発明によれば、複数のオーディオチャンネルで送られてくる各オーディオデータには、楽曲の先頭及び終了に対応して、スタートフラグ及びエンドフラグが設けられる。オーディオチャンネルで送られてきたオーディオ信号をストレージデバイスに記録する際、このスタートフラグ及びエンドフラグを検出することにより、先頭から終了まで、各楽曲をストレージデバイスに確実に記録することができる。また、ダウンロード用のオーディオデータのストリーム中には、楽曲の先頭及び終了に対応して、ＩＤデータが挿入される。オーディオチャンネルで送られてきたオーディオ信号をストレージデバイスに記録する際、このＩＤデータを検出することにより、先頭から終了まで、各楽曲をストレージデバイスに確実に記録することができる。そして、このようなスタートフラグ及びエンドフラグを利用することにより、複数の楽曲を予約しておき、この予約した楽曲を順番にストレージデバイスに自動的に録音することができる。また、ＩＤデータを利用することにより、複数の楽曲を予約しておき、この予約した楽曲を順番にストレージデバイスに自動的にダウンロードすることができる。
【図面の簡単な説明】
【図１】この発明が適用できる放送システムの一例の全体構成を示すブロック図である。
【図２】この発明が適用できる放送システムの一例における地上局の構成を示すブロック図である。
【図３】オーディオチャンネルのデータストレームを示す略線図である。
【図４】この発明が適用できる放送システムの一例の説明に用いるタイミング図である。
【図５】この発明が適用できる放送システムの一例におけるＩＲＤの構成を示すブロック図である。
【図６】この発明が適用された放送システム一例の表示画面の一例の説明に用いる略線図である。
【図７】オーディオチャンネルでの楽曲の先頭及び終了位置の検出する説明に用いる略線図である。
【図８】ダウンロード用のデータでの楽曲の先頭及び終了位置の検出する説明に用いる略線図である。
【図９】ＩＲＤとストレージデバイスとの間で行なわれる処理の説明に用いるフローチャートである。
【図１０】ＩＲＤとストレージデバイスとの間で行なわれる処理の説明に用いるフローチャートである。
【図１１】この発明が適用された放送システム一例の表示画面の他の例の説明に用いる略線図である。
【図１２】ＩＲＤとストレージデバイスとの間で行なわれる処理の説明に用いるフローチャートである。
【図１３】この発明が適用された放送システム一例の表示画面の更に他の例の説明に用いる略線図である。
【図１４】ＩＲＤとストレージデバイスとの間で行なわれる処理の説明に用いるフローチャートである。
【符号の説明】
１・・・地上局、２・・・衛星、３・・・受信設備、１１・・・番組放送素材サーバ、１２Ａ、１２Ｂ・・・オーディオチャンネル番組素材サーバ、１３・・・ダウンロード用オーディオデータ素材サーバ、１４・・・ＧＵＩデータサーバ、２２・・・ＩＲＤ、２３・・・ストレージデバイス
【図１】
0004580474.tif 000002
【図２】
0004580474.tif 000003
【図３】
0004580474.tif 000004
【図４】
0004580474.tif 000005
【図５】
0004580474.tif 000006
【図６】
0004580474.tif 000007
【図７】
0004580474.tif 000008
【図８】
0004580474.tif 000009
【図９】
0004580474.tif 000010
【図１０】
0004580474.tif 000011
【図１１】
0004580474.tif 000012
【図１２】
0004580474.tif 000013
【図１３】
0004580474.tif 000014
【図１４】
0004580474.tif 000015